(57)【要約】【課題】印刷工程やプレス加工工程における潜像部と背景部の凸状万線の作製において、潜像部の安定した目立ち難さという品質を維持できるようにするとともに、凸状万線を凹版印刷方式（スクリーンレス凹版印刷方式）により基体上に印刷形成する場合のインキ抜けによる万線ムラや凸状万線の厚膜不良などの印刷不良の発生を防止することにある。【解決手段】基材１上に背景部１０と潜像部２０とを万線２、３により構成した偽造防止画像部を備え、該背景部１０と潜像部２０の各々万線２、３が、互いに同一色により所定ピッチＰと線幅Ｘにて互いに直交する方向に形成され、前記背景部１０と潜像部１０の各々万線２、３が直線形状以外の波形状又はジグザグ状又は鋸歯状であり、前記基材１面より所定高さＨに突出して形成されている。【選択図】図１
2004106442.tif 000002
【特許請求の範囲】
【請求項１】
基材上に背景部と潜像部とを万線により構成した偽造防止画像部を備え、該背景部と潜像部の各々万線が、互いに同一色により所定ピッチと線幅にて互いに直交する方向に形成され、前記背景部と潜像部の各々万線が、直線形状以外の波形状又はジグザグ状又は鋸歯状であり、前記基材面より所定高さに突出して形成されていることを特徴とする偽造防止画像形成体。
【請求項２】
前記背景部と潜像部の各々万線が、互いに同一色により同一ピッチと同一線幅にて互いに直交する方向に形成されていることを特徴とする請求項１記載の偽造防止画像形成体。
【請求項３】
前記万線が、凹版印刷方式により厚膜印刷されていることを特徴とする請求項１又は請求項２記載の偽造防止画像形成体。
【請求項４】
前記万線が、エンボス金型方式によりエンボス形成されていることを特徴とする請求項１乃至請求項３のいずれか１項記載の偽造防止画像形成体。
【請求項５】
有価証券類形成用基材上に背景部と潜像部とを万線により構成した偽造防止画像部を備え、該背景部と潜像部の各々万線が、互いに同一色により所定ピッチと線幅にて互いに直交する方向に形成され、前記背景部と潜像部の各々万線が直線形状以外の波形状又はジグザグ状又は鋸歯状であり、前記基材面より突出して形成されていることを特徴とする有価証券類。
【請求項６】
前記背景部と潜像部の各々万線が、互いに同一色により同一ピッチと同一線幅にて互いに直交する方向に形成されていることを特徴とする請求項５記載の有価証券類。
【請求項７】
前記万線が、凹版印刷方式により厚膜印刷されていることを特徴とする請求項５又は請求項６記載の有価証券類。
【請求項８】
前記万線が、エンボス金型方式によりエンボス形成されていることを特徴とする請求項５乃至請求項７のいずれか１項記載の有価証券類。
【発明の詳細な説明】
【０００１】
【発明の属する技術分野】
本発明は、商品券、ゴミ回収票、籤券、入場券等の用紙からなる有価証券類の偽造防止に関するものであり、さらに詳しくは、カラーコピー機等による偽造や有価証券用紙自体の偽造を極めて困難にする偽造防止画像を備えた偽造防止画像形成体及びその偽造防止画像を用いた有価証券類に関する。
【０００２】
【従来の技術】
従来、用紙は紙幣をはじめ、株券、債券、商品券、籤券等、金銭的価値を有する有価証券類として幅広く使用されている。それら有価証券類の用紙は容易に偽造又は変造出来ない様に、紙自体に透かしを施したり、あるいはマイクロ文字や凹版印刷、隠し文字、蛍光印刷等の特殊な印刷を施したり、金属光沢を有する箔やホログラム箔等を転写またはシールで施してあるのが知られている。
【０００３】
これらの有価証券類が偽造される場合は、主に印刷による方法とカラーコピー機等による複写方式があるが、今日ではレーザーによる電子写真方式やインキ
ェット方式のカラーコピー機は、解像度や色相等が本物と見分けがつかない程格段に精巧になり、比較的簡単に偽造品を作成できるようになってきている。
【０００４】
さらにまた、パーソナルコンピューターも急激に普及してきており、有価証券類の印刷物をスキャナーで取り込み、編集した上で用紙にカラープリンターで出力する悪質な偽造も増えてきている。すなわちカラーコピー機あるいはカラープリンター付パーソナルコンピューターさえあれば簡単に本物と見分けがつかないくらい正確に複写できるようになり、このような手法による偽造品は、マイクロ文字や隠し文字のようなパターン印刷による証券類では、オリジナルとコピーを見分けることが困難になっている。
【０００５】
しかしながら、上記透かし模様やホログラムの転写等の技術では、コストが嵩むということから、特にライフサイクルの短い商品券や籤券、入場券、ゴミ回収票等には適用が困難であった。
【０００６】
そこでクレジットカード等のカード類を含めた有価証券類や、その他の偽造防止を必要とする物品の複製に対する比較的コスト高とならない複製防止策や偽造防止策としては、背景部と潜像部とにより構成された偽造防止画像を形成する方法があり、背景部の領域のいずれかに潜像文字や潜像記号パターン等の潜像を施す方法がある。
【０００７】
潜像とは、ある行為、操作を行うことによって初めて認識可能な画像として出現する画像のことであり、通常の状態では目視により確認できないことが要求される。よって、真偽の鑑定として非常に有用であり、また偽造・複製も困難なものとなる。
【０００８】
このような潜像を施す既存の偽造防止技術としては、例えば、図４（ａ）に示すように、凹版印刷方式によるインキの厚膜盛り上がり印刷、あるいは加熱により発泡（又は膨張）するインキを用いたエンボソグラフ印刷や、金型を用いた加圧プレス方式による機械的エンボス加工により、所定基体１の表面に、直線の万線２による背景部（背景領域）と、直線の万線３による潜像部［潜像領域（Ｔの文字領域）］とを、互いに直交するＬ１　−Ｌ２　方向と、Ｍ１　−Ｍ２　方向とに凹状に、図４（ｂ）に示すように所定の同一線幅ｘと同一ピッチＰを以て万線画像として形成する偽造防止技術がある。
【０００９】
この技術は、図５のＬ１　−Ｌ２　側断面図（背景部領域側断面図）又はＭ１　−Ｍ２　側断面図（潜像部領域側断面図）に示すように、背景部領域を形成する万線２と、潜像部領域を形成する万線３は、所定の同一線幅ｘと同一ピッチＰにて、基体１の表面から凸状に盛り上げて形成されている。
【００１０】
そのために、基体１の万線部面に対して真上方向（垂直上方）からは、万線２による背景部領域と万線３による潜像部領域との間には明確なコントラストが発生しないため、万線３による潜像部の目視による識別区分は通常では困難であり、したがって潜像部（Ｔの文字）は視認することができないが、基体１の万線部面に対して斜め方向から観察すると、万線２による背景部領域と万線３による潜像部領域との間に明確なコントラストが発生し、潜像部（Ｔの文字）が視認できるようになる。
【００１１】
例えば、図４（ｃ）において、基体１面を斜めに傾け、背景部万線２の万線方向に対し直交する方向で、潜像部万線３の万線形成方向であるＬ２　方向の斜め方向から観察すると、潜像部万線３領域以外の観察方向と直交する背景部万線２領域は、図５に示すように、凸状万線２がオーバーラップして観察され、あるいは凸状万線２の領域に陰影が発生して、観察方向と同じ方向の万線３による潜像部領域に対して、万線２による背景部領域の濃度が増大し、背景部領域と潜像部領域との間に明確なコントラスト（明暗）が発生し、潜像部（Ｔの文字）が視認できる。
【００１２】
他方、図４（ｃ）において、基体１面を斜めに傾け、潜像部万線３の万線方向に対し直交し、且つ背景部万線２の万線形成方向であるＭ２　方向の斜め方向から観察すると、背景部万線２領域以外の観察方向と直交する潜像部万線３領域は、図５に示すように、凸状万線３がオーバーラップして観察され、あるいは凸状万線３の領域に陰影が発生して、観察方向と同じ方向の万線２による背景部領域に対して万線３による潜像部領域の濃度が増大し、背景部領域と潜像部領域との間に明確なコントラスト（明暗）が発生し、潜像部（Ｔの文字）が視認できる。
【００１３】
そして、凸状万線２、３を用いて形成された背景部と潜像部により構成される上記偽造防止画像部を施したカード類、有価証券類、その他印刷物、偽造防止を必要とする物品等の真正物品を、電子複写機などでコピーしてコピー物品を作製した際には、真正物品に付与されている偽造防止画像の凸状万線２、３は、コピー物品面では、真正物品の所定高さの凸状万線２、３のような凸状とはならず、そのためにコピー物品には真正物品のような潜像部は形成されず、よって真偽を判定できるものである。
【００１４】
【発明が解決しようとする課題】
しかしながら、上記のような直交する方向に凸状の直線万線を用いて形成される潜像部と背景部による従来の偽造防止技術は、単純な直線万線によるパターンを用いているために、潜像部を背景部領域内にほぼ完全な状態に目立たなく形成することは非常に難しく、印刷工程やプレス加工工程における万線部の作製精度が高精度であったとしても、潜像部の目立ち難さの品質にバラツキが発生しやすいものであった。
【００１５】
また、直線の凸状万線を凹版印刷方式（スクリーンレス凹版印刷方式）により基体上に印刷形成する場合には、インキドクターで凹版印刷版面に付着する余剰インキを掻き取りつつ、凹版セル内にインキを充填供給する際に、凹版面に対して直線状に摺接する前記インキドクターの刃先が、直線万線パターン状の凹版セル内に入り込んで、凹版セル内のインキが余分に掻き取られてしまい、インキ抜けによる万線ムラや、凸状万線の厚膜不良などの印刷不良が起き易いといった問題があった。
【００１６】
本発明は、上記問題点を解消するためになされたもので、印刷工程やプレス加工工程における潜像部と背景部の凸状万線の作製において、潜像部の安定した目立ち難さという品質を維持できるようにするとともに、凸状万線を凹版印刷方式（スクリーンレス凹版印刷方式）により基体上に印刷形成する場合のインキ抜けによる万線ムラや凸状万線の厚膜不良などの印刷不良の発生を防止することにある。
【００１７】
【課題を解決するための手段】
本発明の請求項１に係る発明は、基材上に背景部と潜像部とを万線により構成した偽造防止画像部を備え、該背景部と潜像部の各々万線が、互いに同一色により所定ピッチと線幅にて互いに直交する方向に形成され、前記背景部と潜像部の各々万線が、直線形状以外の波形状又はジグザグ状又は鋸歯状であり、前記基材面より所定高さに突出して形成されていることを特徴とする偽造防止画像形成体である。
【００１８】
本発明の請求項２に係る発明は、上記請求項１に係る偽造防止画像形成体において、前記背景部と潜像部の各々万線が、互いに同一色により同一ピッチと同一線幅にて互いに直交する方向に形成されていることを特徴とする偽造防止画像形成体である。
【００１９】
本発明の請求項３に係る発明は、上記請求項１又は請求項２に係る偽造防止画像形成体において、前記万線が、凹版印刷方式により厚膜印刷されていることを特徴とする偽造防止画像形成体である。
【００２０】
本発明の請求項４に係る発明は、上記請求項１乃至請求項３のいずれか１項に係る偽造防止画像形成体において、前記万線が、エンボス金型方式によりエンボス形成されていることを特徴とする偽造防止画像形成体である。
【００２１】
本発明の請求項５に係る発明は、有価証券類形成用基材上に背景部と潜像部とを万線により構成した偽造防止画像部を備え、該背景部と潜像部の各々万線が、互いに同一色により所定ピッチと線幅にて互いに直交する方向に形成され、前記背景部と潜像部の各々万線が直線形状以外の波形状又はジグザグ状又は鋸歯状であり、前記基材面より突出して形成されていることを特徴とする有価証券類である。
【００２２】
本発明の請求項６に係る発明は、上記請求項５に係る有価証券類において、前記背景部と潜像部の各々万線が、互いに同一色により同一ピッチと同一線幅にて互いに直交する方向に形成されていることを特徴とする有価証券類である。
【００２３】
本発明の請求項７に係る発明は、上記請求項５又は請求項６に係る有価証券類において、前記万線が、凹版印刷方式により厚膜印刷されていることを特徴とする有価証券類である。
【００２４】
本発明の請求項８に係る発明は、上記請求項５乃至請求項７のいずれか１項に係る有価証券類において、前記万線が、エンボス金型方式によりエンボス形成されていることを特徴とする有価証券類である。
【００２５】
【発明の実施の形態】
以下本発明の実施の形態を図面を用いながら詳細に説明する。
【００２６】
図１（ａ）は、本発明の偽造防止画像形成体の一実施例を説明する平面図であり、図１（ｂ）は、図１（ａ）に示す偽造防止画像形成体の部分拡大平面図である。
【００２７】
本発明の偽造防止画像形成体は、図１（ａ）〜（ｂ）に示すように、基材１上に、直線形状以外の波形状又はジグザグ状又は鋸歯状の平行線を同一ピッチＰで同一線幅ｘ（平行線方向に対して直交する方向の線幅）にて配列した突出した万線２にて形成された背景部１０の領域と、該背景部１０領域内において、該万線２の形成されていない領域に、該万線２の形成方向（Ｍ１　−Ｍ２　方向）に対して直交する方向に、直線形状以外の波形状又はジグザグ状又は鋸歯状の平行線を同一ピッチＰで同一線幅ｘ（平行線方向に対して直交する方向の線幅）にて配列した突出した万線３にて形成された隠し紋様や隠し文字・記号、隠し図柄、隠しパターン（例えば隠し記号「ＴＯＰ」）となる潜像部２０の領域とで構成されている。
【００２８】
前記背景部１０の領域を形成する突出する万線２と、潜像部２０の領域を形成する突出する万線３とは、互いに同一色、同一濃度により形成されていて、両万線２、３のピッチＰ及び線幅ｘは互いに同一であってもよいし、互いに異なっていてもよい。
【００２９】
しかしながら、両万線２、３により基体１面に形成される偽造防止画像の背景部１０領域と潜像部２０領域の各々濃度は、基体１面に対して偽造防止画像を垂直真上から観察した際に、視覚的に略同一の濃度になるような色調、ピッチＰ、線幅ｘの万線２、３で形成されている。
【００３０】
本発明の偽造防止画像形成体の基材１上に形成されている偽造防止画像は、図５のＬ１　−Ｌ２　側断面図（背景部領域側断面図）又はＭ１　−Ｍ２　側断面図（潜像部領域側断面図）に示すように、背景部１０領域を形成する直線以外の波形状又はジグザグ状又は鋸歯状の万線２と、潜像部２０領域を形成する直線以外の波形状又はジグザグ状又は鋸歯状の万線３が、所定の線幅Ｘと同一ピッチＰにて、基体１の表面から、所定高さＨで凸状に突出して盛り上げ形成されている。
【００３１】
そのために、基材１面の偽造防止画像に対して真上方向（垂直上方）からは、万線２による背景部１０領域と万線３による潜像部領域との間には明確なコントラストが発生せず、万線３による潜像部２０の目視による識別区分は、通常では困難であり、したがって潜像部２０（Ｔの潜像文字画像）は視認することができないが、基材１面の偽造防止画像に対して斜め方向から（視線に対して基材１を斜めにした状態で）観察すると、万線２による背景部１０領域と万線３による潜像部２０領域との間に明確なコントラストが発生し、潜像部２０（Ｔの潜像文字画像）が目視にて視認できるようになる。
【００３２】
例えば、図４（ｃ）において、基材１面を斜めに傾け、背景部１０の万線２の万線方向に対し直交する方向で、潜像部２０の万線３の万線形成方向であるＬ２　方向の斜め方向から観察すると、潜像部２０領域以外の領域、即ち観察方向と直交する方向の万線２により形成される背景部１０の領域は、図５に示すように、凸状万線２がオーバーラップして観察され、あるいは凸状万線２の領域に陰影が発生して、観察方向と同じ方向の万線３による潜像部２０の領域に対して、万線２による背景部１０の領域の濃度が増大し、背景部１０領域と潜像部２０領域との間に明確なコントラスト（明暗）が発生し、潜像部２０の潜像画像Ｔの文字が目視にて視認できる。
【００３３】
他方、図４（ｃ）において、基材１面を斜めに傾け、潜像部２０の万線３の万線方向に対し直交し、且つ背景部１０の万線２の万線形成方向のＭ２　方向である斜め方向から観察すると、背景部１０領域以外の観察方向と直交する潜像部２０領域は、図５に示すように、凸状万線３がオーバーラップして観察され、あるいは凸状万線３の領域に陰影が発生して、観察方向と同じ方向の万線２による背景部１０領域に対して万線３による潜像部領域の濃度が増大し、背景部１０領域と潜像部２０領域との間に明確なコントラスト（明暗）が発生して、潜像部２０の潜像画像Ｔの文字が目視にて視認できるものである。
【００３４】
図２は、例えば、波形状の平行線を同一ピッチＰで同一線幅ｘにて配列した万線２にて形成された同一の位相の振幅を描く波形状の万線２又は万線３の拡大図であり、波形状の万線２又は万線３の振幅ｙは、その万線のピッチＰ、線幅ｘに対応して適宜に設定することができる。
【００３５】
本発明の偽造防止画像形成体として、上記万線２、３を基材１面に凹版印刷方式にて厚膜印刷形成する場合には微細な印刷再現性が要求される。偽造を防止するための背景部１０と潜像部２０の万線としては、出来るかぎりピッチＰを小さく、微細に形成することが望ましく、万線のピッチＰが、例えば１．０ｍｍを超えると通常の状態（基材１面に形成された偽造防止画像の垂直真上から観察した状態）でも潜像部２０の潜像内容を識別確認が可能となる。
【００３６】
しかしながら、万線のピッチＰを０．２ｍｍ未満に狭く設定して印刷した場合には、基材１面に厚膜印刷した突出する万線に、印刷インキのスプレッドによる太りが発生して、隣接する万線同士が互いに接近したり、合体したりして、正規の万線の解像性を損ない、また印刷汚れ等が発生して印刷品質にも悪い影響を与えることとなる。
【００３７】
本発明においては、基材１面より突出する偽造防止のための適性な解像性のある直線状以外の波形状又はジグザグ状又は鋸歯状の万線２、３を得るためには、その万線のピッチＰと、その万線の線幅Ｘと、その万線の振幅Ｙ（直線に対する変形量）とを適性値に設定することが望ましい。
【００３８】
万線２、３の線幅Ｘ（即ち、凹版印刷版の万線の画線の太さ）が（１／４）Ｐより小さい場合、基材１に印刷される万線の画線の太さが細くなり、印刷されたインキの盛り（膜厚）も、それに対応して薄くなり、万線による潜像部１０の潜像としての形成が困難となる。
【００３９】
また、万線２、３の線幅Ｘ（即ち、凹版印刷版の万線の画線太さ）が（３／４）Ｐより大きい場合は、基材１に印刷される万線の画線の太さが太くなり、非画線部の領域が減少して、印刷されたインキの盛り（膜厚）も、それに対応して厚くなるものの、全体的に万線が不鮮明となって、万線による潜像部１０の潜像としての形成が困難となる。
【００４０】
また、波形状又はジグザグ状又は鋸歯状の万線２、３の上記振幅Ｙが、（１／８）Ｐより小さい場合には、改良前の従来の直線の万線とほとんど変わらない形状と作用を有する万線となり、また、波形状又はジグザグ状又は鋸歯状の万線２、３の上記振幅Ｙが、（１／２）Ｐより大きい場合には、互いに直交する万線２、３による背景部１０と潜像部２０とが、その両者の識別ができなくなって、不明確となり、万線３による潜像部１０の潜像としての形成が困難となるものである。
【００４１】
このようなことから、直線以外の波形状又はジグザグ状又は鋸歯状の万線２、３のピッチＰと、その万線の線幅Ｘと、その万線の振幅Ｙ（直線に対する変形量）の各々適性値を、下記のように設定することが望ましい。また、万線の突出高さＨは、万線のピッチＰ、線幅Ｘ、振幅Ｙに対応して、下記の範囲内にて適宜に設定される。
０．２ｍｍ≦Ｐ≦１．０ｍｍ・・・・・（１）
（１／４）Ｐ＜Ｘ＜（３／４）Ｐ・・・・（２）
（１／８）Ｐ＜Ｙ＜（１／２）Ｐ・・・・（３）
１０μｍ≦Ｈ≦１００μｍ・・・・・・（４）
【００４２】
なお、本発明において、使用する直線状以外の万線２、３は、直線状以外であって上記適性値を満たすものであれば、波形状又はジグザグ状又は鋸歯状以外の形状の万線であってもよく、その形状パターンは特に限定されるものではなく、自由に作製でき、例えば、図３（ａ）に示すような緩やかな波形状万線２、３であって、例えば、互いに隣接する波形状万線の位相を１８０°ずらした状態のパターンの万線であってもよく、また、図３（ｂ）に示すように、同一位相の鋸歯状パターンの万線であってもよい。
【００４３】
本発明における偽造防止画像は、株債券、商品券、ギフトカード、印鑑登録書や、ゴミ回収票、その他比較的ライフサイクルの短い証明書等有価証券類、あるいは偽造や複写され易いシート類の適宜領域（余白領域など小さな領域）に好適に用いて、偽造防止画像形成体とすることができる。なお、この偽造やコピー防止策は、本発明における偽造防止画像を単独でもよいが、ホログラムや蛍光印刷等他の偽造防止策と併用することもできる。
【００４４】
【発明の効果】
本発明の偽造防止画像形成体は、以上の構成であるから下記に示す如き効果がある。即ち、基材上に背景部と潜像部とで構成され、この背景部と潜像部とが互いに直交する方向の凸状の万線でなり、両凸状万線が直線以外の万線により構成された偽造防止画像を備えているので、高度な作製精度を持った印刷工程やプレス加工工程による偽造防止画像の作製においても、潜像部の目立ち難さの品質にバラツキが発生し易かった従来の単純な直線万線によるパターンを用いた偽造防止画像と比較して、潜像部の目立ち難さの品質にバラツキが発生し難く、偽造防止画像の潜像部を、背景部の領域内にほぼ完全な状態に目立たなく形成することができる効果がある。
【００４５】
また、本発明の偽造防止画像を構成する直線以外の凸状万線を凹版印刷方式（スクリーンレス凹版印刷方式）により基体上に印刷形成する場合において、インキドクターで凹版印刷版面に付着する余剰インキを掻き取りつつ、凹版セル内にインキを充填供給する際に、凹版面に対して直線状に摺接する前記インキドクターの刃先が直線以外の万線パターン状の凹版セル内に入り込むことが回避でき、そのために従来の直線万線パターン状の凹版セルと比較して、凹版セル内のインキが余分に掻き取られることが無く、万線の印刷において、インキ抜けによる万線ムラや、万線の厚膜不良などの印刷不良が起き難くなり、印刷不良の発生を防止することができ、安定して高品質の偽造防止画像を作製できる効果がある。
【００４６】
本発明の偽造防止画像形成体である互いに直交する方向の凸状万線を用いて形成された背景部と潜像部とにより構成される上記偽造防止画像部を施した、例えばカード類、有価証券類、商品券や、ゴミ回収票、籤券、入場券等に用いるコピー防止用紙等の印刷物、又は偽造防止を必要とする物品等の真正物品を、電子複写機などでコピーしてコピー物品を作製した際には、真正物品に付与されている偽造防止画像の直線以外の凸状万線は、コピー物品面では、真正物品の所定高さの凸状万線のような凸状とはならず、そのためにコピー物品には真正物品のような潜像部は形成されず、よって真偽を判定でき、偽造防止効果が得られる。
【図面の簡単な説明】
【図１】（ａ）は本発明の偽造防止画像形成体の一実施例を説明する平面図、（ｂ）はその部分拡大平面図。
【図２】本発明の偽造防止画像形成体の偽造防止画像に用いられる凸状万線の部分拡大平面図。
【図３】本発明の偽造防止画像形成体の偽造防止画像に用いられる凸状万線の各種万線パータンを説明する平面図。
【図４】（ａ）は従来の偽造防止画像形成体を説明する平面図、（ｂ）はその偽造防止画像形成体の偽造防止画像に用いられる凸状万線の部分拡大平面図、（ｃ）はその偽造防止画像形成体の観察状態を説明する斜視図。
【図５】一般的な偽造防止画像形成体における凸状万線を用いた偽造防止画像の潜像部の観察状態を説明する側断面図。
【符号の説明】
１…基材　２‥‥背景部の凸状万線　３…潜像部の凸状万線
１０…背景部　２０…潜像部
Ｐ…万線ピッチ　Ｘ…万線の線幅　Ｙ…振幅（変形量）　Ｇ…潜像画像
【図１】
2004106442.tif 000003
【図２】
2004106442.tif 000004
【図３】
2004106442.tif 000005
【図４】
2004106442.tif 000006
【図５】
2004106442.tif 000007